(57)【特許請求の範囲】
【請求項１】
床構造体の隣接する梁間に、制振板の四隅が略水平に該梁に支持固定され、制振板の上下方向の振動の各位置における振幅が梁の長手方向に沿って変化可能になされていることを特徴とする床衝撃音の遮断構造。
【請求項２】
対向する制振板の端縁と梁の側面との間に、両者に密着する緩衝材層が設けられていることを特徴とする請求項１記載の床衝撃音の遮断構造。
【請求項３】
ユニット建物を構成する建物ユニットが、請求項１または２記載の床衝撃音の遮断構造を備えていることを特徴とするユニット建物。
【発明の詳細な説明】
【０００１】
【発明の属する技術分野】
本発明は、床衝撃音の遮断構造とユニット建物に関する。
【０００２】
【従来の技術】
従来の床衝撃音の遮断構造は、例えば、特公平７−４９６８５号公報に記載されているように、床構造体の梁間に制振板を略水平に配置し、対向する制振板の端縁と梁とを直接取着したものである。これによって、上階での子供の飛び跳ね等の重量衝撃荷重に起因して床構造体に生じる振動が、制振板の梁長手方向と直角方向の面内振動によって吸収、減衰され、重量衝撃音の発生を抑制している。上記制振板としては、パーティクルボード、硬質木片セメント板、石膏ボードいずれかの単体、もしくはこれらの複合体、またはこれらと鉄板との複合体からなっている。
【０００３】
【発明が解決しようとする課題】
しかしながら、上記公報記載の従来の床衝撃音の遮断構造は、例えば、梁間が７５０ｍｍであり、制振板に厚さ１５ｍｍのパーティクルボードを使用する安価な構造を取っているが、梁間が４５０ｍｍ以下となった場合、制振板の両端が梁間に支持固定されているので、厚さ１５ｍｍのパーティクルボードでは、制振板の面内上下振動が生じ難くなるので、制振板の固有振動数を調整する必要がある。
制振板の固有振動数を調整するには、板厚を薄くするか、あるいは鉄板や石膏ボード等の重量物を薄板の上に設置する方法がある。しかしながら、板厚を薄くすると、エネルギーの損失量が減少し、重量床衝撃音を十分低減できないという問題が生じる。また、板厚を薄くすると、割れ等の危険性がある。
また、重量物を薄板の上に設置すると、これも割れ等の危険性が生じる。
【０００４】
本発明は、上記従来技術の問題を解決するためになされたもので、床衝撃音を高性能に遮断することができ、割れ等の危険性のない床衝撃音の遮断構造と、ユニット建物を提供することを目的としている。
【０００５】
【課題を解決するための手段】
請求項１記載の床衝撃音の遮断構造は、床構造体の隣接する梁間に、制振板の四隅が略水平に該梁に支持固定され、制振板の上下方向の振動の各位置における振幅が梁の長手方向に沿って変化可能になされていることを特徴としている。
【０００６】
請求項２記載の発明は、請求項１記載の床衝撃音の遮断構造において、対向する制振板の端縁と梁の側面との間に、両者に密着する緩衝材層が設けられていることを特徴ととしている。
【０００７】
請求項３記載の発明は、ユニット建物を構成する建物ユニットが、請求項１または２記載の床衝撃音の遮断構造を備えていることを特徴とするユニット建物である。
【０００８】
本発明において、制振板の弾性率Ｅ、断面二次モーメントＩ、支持部間の長さ（振動の節と節との間の長さ）Ｌ、重量ｍは、以下の式
２πｆ＝〔Ａ・ＥＩ・Ｇ／（ｍ・Ｌ3 ）〕1/2 
より求められる固有振動数ｆが略同じであればよい。
上記の式において、Ａは端部係数、Ｇは重力加速度であって、いずれも定数である。
【０００９】
（作用）
請求項１記載の床衝撃音の遮断構造は、梁の間隔が狭くなっても、制振板が梁の長手方向を含む面内で上下に曲げ変形して制振する。従って、制振板の梁長手方向の長さ、重量等を有効な値に適宜設定すれば、制振板に十分な強度を有する材料を使用でき、これによって、床衝撃音を高性能に遮断することができると同時に、割れ等の危険性のない床衝撃音の遮断構造にできる。
【００１０】
請求項２記載の床衝撃音の遮断構造は、さらに、緩衝材層でエネルギーの一部が吸収され、床衝撃音の遮断がさらによくなる。
また、制振板の断面積とは独立にエネルギー吸収量を増加させることができるので、制振板の厚みを固有振動数の観点から決定でき、好適な設計ができる。
【００１１】
請求項３記載のユニット建物は、ユニット建物を構成する建物ユニットが、請求項１または２記載の床衝撃音の遮断構造を備えているので、上記と同様の作用を有する。
【００１２】
【発明の実施の形態】
以下、本発明の実施の形態を図面を参照して説明する。
図１〜図３は、本発明の一実施例であって、図１（イ）図は建物ユニットの床構造体の平面図、（ロ）図は（イ）図のＡ部拡大平面図、（ハ）図は（ロ）図のＸ−Ｘ線における断面図、（ニ）図は別な建物ユニットの床構造体の平面図である。
図２は制振板の斜視図、図３は床衝撃音の遮断のメカニズムを説明する説明図である。
【００１３】
図１において、１は建物ユニットの床構造体であって、この床構造体１は、ユニット建物を構成する上階部分の建物ユニットに設けられているものである。建物ユニットは、床パネルの周縁に壁パネルを立設したパネル方式、あるいは梁と柱とから箱状の骨組み構造を備えた軸組方式のいずれであってもよい。
建物ユニットは、工場で略仕上げられて、施工現場では据え付けと連結部等の仕上げ等がなされ、建物が完成する。
【００１４】
上記床構造体１は、四方の床梁１１、１１、・・と、長辺側の相対向する床梁１１、１１間に一定間隔で掛け渡された複数の床小梁１２、１２、・・とからなっている。
図１（イ）図に示す床構造体１の長辺側の床梁１１は、全長Ｌ＝３６００ｍｍになされ、床小梁１２、１２の間隔Ｌ１は４５０ｍｍになされている。これに対し、図１（ニ）図に示す床構造体１Ａの長辺側の床梁１１は、全長Ｌ＝４５００ｍｍになされ、床小梁１２、１２の間隔Ｌ１は、上記床構造体１と同様、４５０ｍｍになされている。
これらの梁１１、１２の上面側に床面材が貼着され、仕上げ等がなされて床面が形成されている。
【００１５】
本実施例は、上階にて発生する床衝撃音を遮断する床衝撃音の遮断構造であって、上記床構造体１の隣接する床小梁１２、１２間に、制振板２がその四隅だけを支持固定して取り付けられているものである。
上記制振板２の取付けは、図１（ロ）図に示すように、隣接する床小梁１２、１２の相対向する側面のそれぞれに、二本の横架材３、３を間隔を開けて設置し、この横架材３、３、３、３で制振板２の四隅が支持固定されている。
【００１６】
制振板２は、図２に示すように、厚さ１５ｍｍ、板幅３６０ｍｍ、長さ７４０ｍｍのパーチクルボードでなる板材２１と、このパーチクルボード２１の中央部に取り付けられた重さ１．２ｋｇの重り２２とからなっている。
横架材３とパーチクルボード２１との重なりは、床小梁１２の長手方向に沿って各１０ｃｍである。この横架材３の端部が制振板２の振動の節の位置となる。なお、上記制振板２の板材２１の材質、厚さ、長さ、及び重り２２重量は、上記構成と次式、２πｆ＝〔Ａ・ＥＩ・Ｇ／（ｍ・Ｌ3 ）〕1/2 より求められる固有振動数ｆが略同じであればよい。
上記の式において、Ａは端部係数、Ｇは重力加速度であって、いずれも定数である。Ｅは板材２１の弾性率、Ｉは板材２１の断面二次モーメント、Ｌは支持部間の長さ、ｍは板材２１と重り２２の質量で、いずれも変数である。
なお、端部係数Ａは、支持状態によって定められる定数であって、理想状態ではピン支持の場合Ａ＝４８、完全剛支持の場合Ａ＝１９２であり、現実にはこれらの間の数値をとる。
【００１７】
因みに、本実施例の制振板２においては、Ａはピン支持４８と完全剛の１９２との間の値で略８０、Ｅ＝３００００ｋｇ／ｃｍ2 、Ｉ＝１０ｃｍ4 、Ｇ＝９８０ｃｍ／ｓ2 、ｍ＝３ｋｇ、Ｌ＝５４ｃｍであり、ｆは約４０Ｈｚとなる。
【００１８】
（実施例の作用）
上記構成になされた床衝撃音の遮断構造は、床構造体１の隣接する床小梁１２、１２間に、制振板２が略水平に支持固定され、制振板２の上下方向の振動の各位置における振幅が床小梁１２の長手方向に沿って変化可能になされているので、床小梁間隔Ｌ１が狭くなっても、制振板２が床小梁１２の長手方向を含む面内で上下に曲げ変形して制振する（図３参照）。
従って、制振板２の長手方向の長さ、重量等を有効な値に適宜設定すれば、制振板２に十分な強度を有する材料を使用でき、これによって、床衝撃音を高性能に遮断することができる。それと同時に、割れ等の危険性のない床衝撃音の遮断構造にできる。
上記実施例では、固有振動数ｆが約４０Ｈｚであることにより、６３Ｈｚ帯の重量床衝撃音を吸収することができる。
【００１９】
図４は本発明の別の実施例であって、床構造体の要部を示す説明図である。図４（イ）図は断面図、（ロ）図は（イ）図のＹ−Ｙ線に於ける断面図である。
本実施例の床衝撃音の遮断構造において、前記実施例と異なるところは、図４に示すように、対向する制振板２の端縁と床小梁１２の側面との間に、両者に密着する緩衝材層４が設けられていることである。従って、前記実施例と同じものは同符合を付けて説明を省略する。
上記緩衝材層４は、ポリエチレン発泡体で形成されているが、ポリウレタン発泡体、ブチルゴム発泡体等の制振性を有するものであれば、特に限定されない。
【００２０】
上記本実施例の床衝撃音の遮断構造によると、さらに、制振板２の側面と床小梁１２の側面との間に緩衝材層４を密着して設けているので、制振板２で吸収するエネルギーが不足しても、緩衝材層４で吸収され、床衝撃音の遮断がさらによくなる。
【００２１】
【発明の効果】
請求項１記載の床衝撃音の遮断構造は、床構造体の隣接する梁間に、制振板の四隅が略水平に該梁に支持固定され、制振板の上下方向の振動の各位置における振幅が梁の長手方向に沿って変化可能になされているので、制振板の梁長手方向の長さ、重量等を有効な値に適宜設定すれば、制振板に十分な強度を有する材料を使用でき、これによって、床衝撃音を高性能に遮断することができると同時に、割れ等の危険性のない床衝撃音の遮断構造にできる。
【００２２】
請求項２記載の床衝撃音の遮断構造は、さらに、対向する制振板の端縁と梁の側面との間に、両者に密着する緩衝材層を設けているので、制振板で吸収するエネルギーが不足しても、緩衝材層で吸収され、床衝撃音の遮断がさらによくなる。
【００２３】
請求項３記載のユニット建物は、ユニット建物を構成する建物ユニットが、請求項１または２記載の床衝撃音の遮断構造を備えているので、上記と同様の作用を有する。
【図面の簡単な説明】
【図１】（イ）図は建物ユニットの床構造体の平面図、（ロ）図は（イ）図のＡ部拡大平面図、（ハ）図は（ロ）図のＸ−Ｘ線における断面図、（ニ）図は別な建物ユニットの床構造体の平面図である。
【図２】制振板の斜視図である。
【図３】床衝撃音の遮断のメカニズムを説明する斜視図である。
【図４】本発明の別の実施例であって、（イ）図は床構造体の要部を示す断面図、（ロ）図は（イ）図のＹ−Ｙ線に於ける断面図である。
【符号の説明】
１              床構造体
１１            床梁
１２            床小梁
２              制振材
３              横架材
４              緩衝材層
【図１】
0004028640.tif 000002
【図２】
0004028640.tif 000003
【図３】
0004028640.tif 000004
【図４】
0004028640.tif 000005